(57)【要約】【課題】３者以上がＴＤＭＡ方式を用いて通信する場合にコールバックを適切に行うことができる無線通信機を提供する。【解決手段】無線通信機１００は、宛先毎に１タイムスロットを使用し、半二重通信方式で１対多の通信を行う。受信部（送受信部２）は、各タイムスロットのヘッダに送信元ＩＤとそれぞれの宛先ＩＤとが含まれて同報送信された信号を受信する。記憶部（ＲＡＭ１ａ）は、送信元ＩＤと自局ＩＤ以外の宛先ＩＤとを記憶する。制御部１は、信号の受信終了後のコールバックの際に、各タイムスロットのヘッダに設定する宛先ＩＤとして、記憶部に記憶されたＩＤのそれぞれを各タイムスロットのヘッダの宛先ＩＤに設定して、送信データを生成する。送信部（送受信部２）は、送信データを送信する。【選択図】図２
2020120346.tif 000002
【特許請求の範囲】
【請求項１】
宛先毎に１タイムスロットを使用し、半二重通信方式で１対多の通信を行う無線通信機であって、
各タイムスロットのヘッダに送信元ＩＤと宛先ＩＤとが設定されて同報送信された信号を受信する受信部と、
前記送信元ＩＤと自局ＩＤ以外の宛先ＩＤとを記憶する記憶部と、
コールバックの際に、前記記憶部に記憶されたＩＤを各タイムスロットのヘッダの宛先ＩＤに設定して、送信データを生成する制御部と、
前記送信データを送信する送信部と、
を備える無線通信機。
【請求項２】
宛先毎に１タイムスロットを使用し、半二重通信方式で１対多の通信を行う無線通信機であって、
各タイムスロットのヘッダに送信元ＩＤと宛先ＩＤと同報送信先のＩＤとが設定されて同報送信された信号を受信する受信部と、
自局ＩＤ宛てのタイムスロットのヘッダに含まれる送信元ＩＤと同報送信先のＩＤとを記憶する記憶部と、
コールバックの際に、前記記憶部に記憶されたＩＤを各タイムスロットのヘッダの宛先ＩＤに設定し、宛先ＩＤに設定された以外のＩＤを同報送信先のＩＤに設定して、送信データを生成する制御部と、
前記送信データを送信する送信部と、
を備える無線通信機。
【請求項３】
ユーザが音声を送信するときに操作するＰＴＴスイッチと、
前記受信部が受信を終了した後に起動されるタイマと、
前記タイマが満了する前に前記ＰＴＴスイッチが操作されると、コールバックの操作が行われたと判定して、前記送信データを送信するよう前記送信部を制御する制御部と、
をさらに備える請求項１または２に記載の無線通信機。
【請求項４】
宛先毎に１タイムスロットを使用し、半二重通信方式による１対多の通信方法であって、
各タイムスロットのヘッダに送信元ＩＤとそれぞれの宛先ＩＤとが設定されて同報送信された信号を受信し、
前記送信元ＩＤと自局ＩＤ以外の宛先ＩＤとを記憶部に記憶し、
コールバックの際に、前記記憶部に記憶されたＩＤを各タイムスロットのヘッダの宛先ＩＤに設定して送信する
無線通信方法。
【請求項５】
宛先毎に１タイムスロットを使用し、半二重通信方式による１対多の通信を処理する無線通信機のコンピュータに、
各タイムスロットのヘッダに送信元ＩＤとそれぞれの宛先ＩＤとが設定されて同報送信された信号を受信する受信ステップと、
前記送信元ＩＤと自局ＩＤ以外の宛先ＩＤとを記憶部に記憶させる記憶ステップと、
コールバックの際に、前記記憶部に記憶されたＩＤを各タイムスロットのヘッダの宛先ＩＤに設定して、送信データを生成する制御ステップと、
前記送信データを送信する送信ステップと、
を実行させる無線通信プログラム。
【発明の詳細な説明】
【技術分野】
【０００１】
本発明は、時分割多元接続方式を用いて１台の無線通信機が他の複数台の無線通信機と通信する無線通信機、無線通信方法、及び無線通信プログラムに関する。
【背景技術】
【０００２】
１台の無線通信機が他の複数台の無線通信機と通信する通信方法として、時分割多元接続方式（ＴＤＭＡ（Time Division Multiple Access）方式）を用いた通信方法がある。特許文献１には、全二重通信方式によって３者以上がＴＤＭＡ方式を用いて通信する無線通信機が記載されている。
【先行技術文献】
【特許文献】
【０００３】
【特許文献１】特開平４−７２８２９号公報
【発明の概要】
【発明が解決しようとする課題】
【０００４】
半二重通信方式によって３者以上がＴＤＭＡ方式を用いて通信する場合、全二重通信方式による通信とは異なり、送信者による送信の終了後に受信者が送信者に返信するコールバックが必要となる場合がある。半二重通信方式によって３者以上がＴＤＭＡ方式を用いて通信する場合には、コールバックが適切に行われることが必要である。
【０００５】
本発明は、半二重通信方式によって３者以上がＴＤＭＡ方式を用いて通信する場合に、コールバックを適切に行うことができる無線通信機、無線通信方法、及び無線通信プログラムを提供することを目的とする。
【課題を解決するための手段】
【０００６】
本発明は、宛先毎に１タイムスロットを使用し、半二重通信方式で１対多の通信を行う無線通信機であって、各タイムスロットのヘッダに送信元ＩＤと宛先ＩＤとが設定されて同報送信された信号を受信する受信部と、前記送信元ＩＤと自局ＩＤ以外の宛先ＩＤとを記憶する記憶部と、コールバックの際に、前記記憶部に記憶されたＩＤを各タイムスロットのヘッダの宛先ＩＤに設定して、送信データを生成する制御部と、前記送信データを送信する送信部とを備える無線通信機を提供する。
【０００７】
本発明は、宛先毎に１タイムスロットを使用し、半二重通信方式で１対多の通信を行う無線通信機であって、各タイムスロットのヘッダに送信元ＩＤと宛先ＩＤと同報送信先のＩＤとが設定されて同報送信された信号を受信する受信部と、自局ＩＤ宛てのタイムスロットのヘッダに含まれる送信元ＩＤと同報送信先のＩＤとを記憶する記憶部と、コールバックの際に、前記記憶部に記憶されたＩＤを各タイムスロットのヘッダの宛先ＩＤに設定し、宛先ＩＤに設定された以外のＩＤを同報送信先のＩＤに設定して、送信データを生成する制御部と、前記送信データを送信する送信部とを備える無線通信機を提供する。
【０００８】
本発明は、宛先毎に１タイムスロットを使用し、半二重通信方式による１対多の通信方法であって、各タイムスロットのヘッダに送信元ＩＤとそれぞれの宛先ＩＤとが設定されて同報送信された信号を受信し、前記送信元ＩＤと自局ＩＤ以外の宛先ＩＤとを記憶部に記憶し、コールバックの際に、前記記憶部に記憶されたＩＤを各タイムスロットのヘッダの宛先ＩＤに設定して送信する無線通信方法を提供する。
【０００９】
本発明は、宛先毎に１タイムスロットを使用し、半二重通信方式による１対多の通信を処理する無線通信機のコンピュータに、各タイムスロットのヘッダに送信元ＩＤとそれぞれの宛先ＩＤとが設定されて同報送信された信号を受信する受信ステップと、前記送信元ＩＤと自局ＩＤ以外の宛先ＩＤとを記憶部に記憶させる記憶ステップと、コールバックの際に、前記記憶部に記憶されたＩＤを各タイムスロットのヘッダの宛先ＩＤに設定して、送信データを生成する制御ステップと、前記送信データを送信する送信ステップとを実行させる無線通信プログラムを提供する。
【発明の効果】
【００１０】
本発明の無線通信機、無線通信方法、及び無線通信プログラムによれば、半二重通信方式によって３者以上がＴＤＭＡ方式を用いて通信する場合に、コールバックを適切に行うことができる。
【図面の簡単な説明】
【００１１】
【図１】一実施形態の無線通信機を備える無線通信システムを示す図である。
【図２】一実施形態の無線通信機を示すブロック図である。
【図３】無線通信機のディスプレイに表示される宛先リストの一例を示す図である。
【図４】１台の無線通信機が他の２台の無線通信機に同報送信する状態を示す概念図である。
【図５】ＴＤＭＡ方式の送信データの構造の一例を示す図である。
【図６】図４に示す１台の無線通信機が他の２台の無線通信機に同報送信するときのＴＤＭＡ方式の送信データの構造の第１のフレーム構成を示す図である。
【図７】図４に示す１台の無線通信機が他の２台の無線通信機に同報送信するときのＴＤＭＡ方式の送信データの構造の第２のフレーム構成を示す図である。
【図８】図４に示す他の２台の無線通信機における１台の無線通信機がコールバックする状態を示す概念図である。
【図９】図８に示す１台の無線通信機がコールバックするときのＴＤＭＡ方式の送信データの構造の一例を示す図である。
【図１０Ａ】送信データの構造が図６に示す第１のフレーム構成である場合の、一実施形態の無線通信機の受信処理を示すフローチャートである。
【図１０Ｂ】送信データの構造が図７に示す第２のフレーム構成である場合の、一実施形態の無線通信機の受信処理を示すフローチャートである。
【図１１】一実施形態の無線通信機の送信処理を示すフローチャートである。
【発明を実施するための形態】
【００１２】
以下、一実施形態の無線通信機、無線通信方法、及び無線通信プログラムについて、添付図面を参照して説明する。図１に示すように、一例として、無線通信システムは、複数の無線通信機１００と、基地局２００Ａ及び２００Ｂとを備える。基地局２００Ａ及び２００Ｂはネットワーク３００を介して接続されている。
【００１３】
複数の無線通信機１００は、基地局２００Ａまたは２００Ｂを介して互いに通信することがあり、複数の無線通信機１００は、基地局２００Ａ及び２００Ｂ及びネットワーク３００を介して互いに通信することがある。複数の無線通信機１００が、基地局２００Ａまたは２００Ｂを介することなく互いに直接通信してもよい。即ち、無線通信システムは基地局を含まなくてもよい。無線通信機１００は、移動局である。なお、本実施形態の無線通信機を備える無線通信システムにおける通信方法は、宛先毎に１タイムスロットを使用する１対多の半二重通信方式である。
【００１４】
無線通信機１００は、図２に示すように構成される。図２において、制御部１は、無線通信機１００の全体を制御する。制御部１は、マイクロコンピュータまたは中央処理装置（ＣＰＵ）によって構成することができる。制御部１は、ＲＡＭ１ａ及びタイマ１ｂを有する。ＲＡＭ１ａは制御部１に対して外付けされていてもよいし、タイマ１ｂは制御部１の外部に設けられていてもよい。制御部１は、自局の無線通信機１００を一意に識別するためのＩＤ（識別符号）を保持している。
【００１５】
制御部１には、ＤＳＰ（Digital Signal Processor）４が接続されている。ＤＳＰ４には、送受信部２とマイクロホン５とスピーカ６が接続されている。送受信部２には、電波を送受信するためのアンテナ３が接続されている。送受信部２は、送信部と受信部とが一体的に構成された回路ブロックである。送受信部２は、半二重通信方式で他の無線通信機１００へと音声データを含む送信データを送信する。送受信部２は、半二重通信方式で他の無線通信機１００が送信した音声データを含む送信データを受信する。
【００１６】
送受信部２が受信したデータはＤＳＰ４に供給される。ＤＳＰ４は、受信したデータを復調及び復号する。ＤＳＰ４は、受信したデータのうち音声データを復調及び復号することによって生成した音声信号をスピーカ６に供給する。マイクロホン５は、無線通信機１００のユーザが発した音声を収音して音声信号に変換し、音声信号をＤＳＰ４に供給する。ＤＳＰ４は、入力された音声信号に帯域制限等の各種の処理を施して変調波を生成して、送受信部２に供給する。送受信部２は、ＤＳＰ４から供給された変調波により搬送波を変調して、アンテナ３を介して送信する。
【００１７】
制御部１には、さらに、ＲＯＭ７、不揮発性メモリ８、ディスプレイ９、ＰＴＴ（Push To Talk）スイッチ１０、操作部１１が接続されている。ＲＯＭ７には、無線通信機１００がＴＤＭＡ方式を用いて他の複数の無線通信機１００と通信するための後述する処理を実行するコンピュータプログラム（無線通信プログラム）が記憶されている。ＲＯＭ７は、制御部１に内蔵されていてもよい。
【００１８】
不揮発性メモリ８は、通信する他の無線通信機１００を指定するための通信先情報を記憶する。通信先情報は、通信する他の無線通信機１００のＩＤ（移動局ＩＤ）と、各無線通信機１００に設定された名称（移動局名）とを関連付けた情報を含む。移動局ＩＤは、ユーザにとって分かり難い記号や数字になることが多いため、ユーザにとって分かり易い名称を移動局名として使用してもよい。不揮発性メモリ８は、例えば、EEPROM（Electrically Erasable Programmable Read Only Memory）である。ディスプレイ９は、各種の情報を表示する。
【００１９】
ユーザが発話して音声信号を送信するとき、ユーザはＰＴＴスイッチ１０を押す。制御部１は、ＰＴＴスイッチ１０が押されていない状態では無線通信機１００を受信待機状態とし、ＰＴＴスイッチ１０が押されている状態では無線通信機１００を送信状態とする。操作部１１は、各種の操作ボタンを含む。操作部１１は、ディスプレイ９と一体化されたタッチパネルであってもよい。
【００２０】
図２において、白抜きの矢印は、構成要素間を接続するバスを示している。バスの代わりに通常の信号接続線を用いることがあってもよい。
【００２１】
図３は、不揮発性メモリ８に記憶されている通信先情報に基づき、ディスプレイ９に表示された宛先リスト９０の一例を示す。図３に示すように、リストの番号（Ｎｏ．）と、宛先を設定するチェックボックスと、移動局名（各無線通信機１００の名称）とが関連付けられて表示される。移動局名が設定されていない無線通信機１００が存在する場合は、移動局名の欄に移動局ＩＤが表示される。なお、移動局名の代わりに、無線通信機１００を使用するユーザのユーザ名が表示されてもよい。
【００２２】
操作部１１によって宛先リスト９０を表示する指示がなされると、制御部１はディスプレイ９に宛先リスト９０を表示させる。図３に示す例では、無線通信機１００のユーザによって、音声を送信する宛先である他の無線通信機１００としてＮｏ．２とＮｏ．３の無線通信機１００が設定されている。チェックボックスのチェックマークは宛先として設定されていることを示す。
【００２３】
宛先リスト９０における通信先情報は、無線通信機１００を使用する前に予め、パーソナルコンピュータのアプリケーションプログラムを用いて、不揮発性メモリ８に書き込まれていてもよい。
【００２４】
図４において、無線通信機１００Ａ、１００Ｂ、及び１００Ｃは、図１に示す無線通信機１００のうちのいずれかの無線通信機１００である。無線通信機１００Ａ、１００Ｂ、及び１００Ｃは、基地局２００Ａまたは２００Ｂの同一の基地局下の３つの無線通信機１００であってもよいし、ネットワーク３００を介して互いに通信する異なる基地局下の３つの無線通信機１００であってもよい。
【００２５】
無線通信機１００Ａは、図３のようにして複数の他の無線通信機１００を選択して発信する無線通信機１００（第１の無線通信機）であり、無線通信機１００Ｂ及び１００Ｃは無線通信機１００Ａから送信された送信データ（第１の送信データ）を受信する無線通信機１００（第２の無線通信機）である。
【００２６】
無線通信機１００は、図５に示すような、ＴＤＭＡ方式のフレームのタイムスロット構造を有するタイムスロットデータを複数の他の無線通信機１００に対して同報送信する。タイムスロットをスロットと略記することがある。図５に示すように、各フレームはスロット１〜スロットｎのｎ個のスロットを含む。各フレームがｎ個のスロットを含めば、無線通信機１００は、ｎ台の他の無線通信機１００に対して同報送信することが可能となる。ｎは２以上の整数である。各スロットは、送信元ＩＤと、宛先ＩＤと、音声データとを含む。本実施形態においては、各フレームが２スロットである場合を例とする。
【００２７】
図４に示す無線通信機１００Ａ、１００Ｂ、及び１００Ｃに付与されているＩＤは、それぞれ、００１００ａ、００１００ｂ、００１００ｃであるとする。図６に示すように、無線通信機１００Ａは、スロット１の送信元ＩＤに自局のＩＤである００１００ａを設定し、宛先ＩＤに無線通信機１００ＢのＩＤである００１００ｂを設定する。また、無線通信機１００Ａは、スロット２の送信元ＩＤに自局のＩＤである００１００ａを設定し、宛先ＩＤに無線通信機１００ＣのＩＤである００１００ｃを設定する。
【００２８】
無線通信機１００ＡのユーザがＰＴＴスイッチ１０を押して、無線通信機１００Ｂ及び１００Ｃに音声を送信するとき、無線通信機１００Ａは、図６に示す第１のフレーム構成のように、送信元ＩＤと宛先ＩＤとを含むヘッダ及び音声データを含むスロット１及び２で構成される各フレームのデータを送信する。各フレームにおけるスロット１及び２に配置されている音声データは同じ音声データである。第１のフレーム構成においては、スロット１及び２には、宛先ＩＤとして、第１の無線通信機からデータを受信する２台の第２の無線通信機それぞれのＩＤが設定されている。
【００２９】
無線通信機１００Ａのユーザが音声の送信を継続すれば、無線通信機１００Ａは図６に示す構造のフレームを連続的に送信する。無線通信機１００Ｂ及び１００Ｃは、無線通信機１００Ａが送信した信号を無線通信機１００Ｂ及び１００Ｃの送受信部２で受信しＤＳＰ４で復調する。無線通信機１００Ｂ及び１００Ｃの制御部１は、ＤＳＰ４が復調したヘッダの宛先ＩＤに自局のＩＤが設定されているスロットの音声データを復調するよう指示する。無線通信機１００Ｂ及び１００Ｃの制御部１は、ヘッダの宛先ＩＤに自局のＩＤが設定されていないスロットの音声データは復調しなくてもよいが、後述する信号の受信終了後のコールバックのため自局以外の宛先ＩＤを抽出して記憶する。
【００３０】
また、図７に示す第２のフレーム構成のように、各スロットのヘッダに複数の宛先ＩＤ（宛先１のＩＤ及び宛先２のＩＤ）を登録できるようにしてもよい。図７に示す例では、各スロットのデータは、先頭から、送信元ＩＤ、宛先１のＩＤ、宛先２のＩＤ、音声データの順に配置されている。ここで、宛先１のＩＤは、図６に示す第１のフレーム構成と同じであり、タイムスロットのデータを受信する無線通信機１００を指定するための宛先ＩＤである。宛先２のＩＤは、後述するように、同報送信先のＩＤであり、自局のＩＤ以外の宛先ＩＤと同意である。宛先２のＩＤは、コールバック時に使用されるため、送信元ＩＤも含めてＲＡＭ１ａに記憶される。
【００３１】
図７において、スロット１の送信元ＩＤとして無線通信機１００ＡのＩＤである００１００ａ、宛先１のＩＤとして無線通信機１００ＢのＩＤである００１００ｂ、宛先２のＩＤとして無線通信機１００ＣのＩＤである００１００ｃが設定されている。また、スロット２の送信元ＩＤとして００１００ａ、宛先１のＩＤとして００１００ｃ、宛先２のＩＤとして００１００ｂが設定されている。
【００３２】
第２のフレーム構成において、ヘッダ内の２つの宛先ＩＤを区別し、所定の順序でスロットに配置することが望ましい。例えば、上述のように、送信元ＩＤの次に送信先となる宛先１のＩＤを配置するとよい。このようなデータを受信した無線通信機１００Ｂ及び１００Ｃは、スロット１に含まれる宛先１のＩＤが自局のＩＤと一致するか否かを判定し、一致する場合には、スロット１の音声データを復調して出力し、スロット２のデータに関しては処理を行わない。スロット１に含まれる宛先１のＩＤが自局のＩＤと一致しない場合には、スロット２に含まれる宛先１のＩＤが自局のＩＤと一致するか否かを判定し、一致する場合には、スロット２の音声データを復調して出力する。
【００３３】
このように、１つのスロットに複数の宛先ＩＤを登録する第２のフレーム構成では、第２の無線通信機は、宛先１のＩＤが自局のＩＤに一致するスロットだけを対象にデータを処理すればよい。
【００３４】
図６に示す第１のフレーム構成及び図７に示す第２のフレーム構成のように、１フレームのｎ個のタイムスロットが宛先を識別するための宛先ＩＤとして、送信先となっているｎ台の無線通信機１００の全てのＩＤを含めばよい。第１のフレーム構成は、各タイムスロットに送信先の１台ずつの無線通信機１００のＩＤを設定することによって、ｎ個のタイムスロットの全体でｎ台の無線通信機１００の全てのＩＤを設定する例である。第２のフレーム構成は、各タイムスロットの宛先１に送信先の無線通信機１００のＩＤを、宛先２に同報送信先の無線通信機１００のＩＤを設定する例である。
【００３５】
図６または図７に示すタイムスロットデータを受信した無線通信機１００Ｂは、スロット１の音声データのみをＤＳＰ４によって復調及び復号すればよく、無線通信機１００Ｃは、スロット２の音声データのみをＤＳＰ４によって復調及び復号すればよい。
【００３６】
無線通信機１００Ｂ及び１００Ｃの制御部１は、ＲＡＭ１ａに、スロット１及び２に設定されている送信元ＩＤと、自局のＩＤ以外の宛先ＩＤ、つまり同報送信先のＩＤとを記憶させる。即ち、無線通信機１００ＢのＲＡＭ１ａには、無線通信機１００ＡのＩＤである００１００ａと、無線通信機１００ＣのＩＤである００１００ｃとが記憶される。無線通信機１００ＣのＲＡＭ１ａには、無線通信機１００ＡのＩＤである００１００ａと、無線通信機１００ＢのＩＤである００１００ｂとが記憶される。ＲＡＭ１ａは送信元ＩＤと自局のＩＤ以外の宛先ＩＤとを記憶する記憶部の一例である。ＲＡＭ１ａは、宛先ＩＤを記憶する際に、宛先ＩＤと対応するタイムスロット番号を共に記憶しておいてもよい。
【００３７】
無線通信機１００ＡのユーザがＰＴＴスイッチ１０を開放して、送信データの送信を終了したとする。図８に示すように、無線通信機１００Ｂのユーザが、タイマ１ｂで設定された所定の時間内にＰＴＴスイッチ１０を押して、無線通信機１００Ａにコールバックを行う場合の動作を以下に説明する。コールバックとは、受信終了後に送信していた相手に対して速やかに応答することを意味し、応答の際に送信先及び同報送信先の設定が適切になされることが望ましい。
【００３８】
図９に示すように、無線通信機１００Ｂは、スロット１の送信元ＩＤに自局のＩＤである００１００ｂを設定し、宛先ＩＤに無線通信機１００ＡのＩＤである００１００ａを設定する。また、無線通信機１００Ｂは、スロット２の送信元ＩＤに自局のＩＤである００１００ｂを設定し、宛先ＩＤに無線通信機１００ＣのＩＤである００１００ｃを設定する。無線通信機１００Ｂは、スロット１及び２に、コールバックの音声の音声データを配置する。
【００３９】
このように、無線通信機１００ＢのユーザがＰＴＴスイッチ１０を押して、無線通信機１００Ａにコールバックの音声を送信するとき、無線通信機１００Ｂは、図９に示すように送信元ＩＤ、宛先ＩＤ、及び音声データを含むスロット１及び２よりなる各フレームのタイムスロットデータを送信データ（第２の送信データ）として送信する。図６と同様に、各フレームにおけるスロット１及び２の音声データは同じ音声データである。
【００４０】
コールバックの送信データは、元の送信元である無線通信機１００ＡのＩＤだけを宛先ＩＤとするのではなく、無線通信機１００ＣのＩＤも宛先ＩＤとしている。従って、図８に示すように、無線通信機１００Ｃにもコールバックの音声が同報送信される。
【００４１】
以上のように、無線通信機１００がｎ台の他の無線通信機１００に同報送信するとき、無線通信機１００は、ｎ個のスロットの各スロットの送信元ＩＤに自局のＩＤを設定し、各スロットの宛先ＩＤに、ｎ台の他の無線通信機１００のＩＤを１つずつ設定する。または、無線通信機１００は、ｎ個のスロットの各スロットの送信元ＩＤに自局のＩＤを設定し、各スロットのｎ個の宛先ＩＤに、ｎ台の他の無線通信機１００全てのＩＤを設定する。
【００４２】
コールバックする無線通信機１００は、ｎ個のスロットにおける１つのスロットに宛先ＩＤとして、最初にタイムスロットデータを送信してきた無線通信機１００のＩＤを設定する。また、コールバックする無線通信機１００は、残りの各タイムスロットに、宛先ＩＤとして、最初にタイムスロットデータの送信先であった、コールバックする無線通信機１００を除く１台ずつの無線通信機１００のＩＤを設定する。
【００４３】
あるいは、図７に示す第２のフレーム構成を用いてもよい。つまり、コールバックする無線通信機１００は、ｎ個のスロットの各スロットにおいて、自局のＩＤを送信元ＩＤに設定し、ＲＡＭ１ａに記憶されたＩＤのうちいずれか１つのＩＤを宛先１に設定し、宛先１に設定した以外の記憶されたＩＤを宛先２に設定する。
【００４４】
コールバックの際に宛先１とするタイムスロットは、ＲＡＭ１ａが記憶した順番であってもよいし、ＲＡＭ１ａが宛先ＩＤとタイムスロット番号とを対応させて記憶している場合は、記憶していたタイムスロット番号に宛先ＩＤを設定してもよい。つまり、受信時の宛先ＩＤに自局ＩＤが設定されていたタイムスロット番号に、コールバックの際には記憶していた送信元ＩＤを宛先ＩＤとして設定し、受信時の宛先ＩＤに自局ＩＤ以外の宛先ＩＤが設定されていたタイムスロット番号に、コールバックの際には対応するタイムスロット番号に宛先ＩＤとして設定してもよい。
【００４５】
なお、タイマ１ｂで設定された所定の時間内にＰＴＴスイッチ１０が押されなかった場合、制御部１は、コールバックの処理を終了する。コールバックの処理終了後にＰＴＴスイッチ１０が押された場合の処理は、特に定めない。
【００４６】
これにより、本実施形態によれば、半二重通信方式によって３者以上がＴＤＭＡ方式を用いて通信する場合に、コールバックを適切に行うことができる。
【００４７】
図１０Ａ及び図１０Ｂに示すフローチャートを用いて、無線通信機１００の受信処理を説明する。図１０Ａに示すフローチャートは第１のフレーム構成の場合の受信処理を示し、図１０Ｂに示すフローチャート第２のフレーム構成の場合の受信処理を示す。なおフレーム内の１つのタイムスロットの宛先ＩＤには、自局のＩＤが設定されているものとする。
【００４８】
図１０Ａを用いて第１のフレーム構成の場合の受信処理を説明する。無線通信機１００は、ステップＳ１にて、タイムスロットデータを受信する（受信ステップ）。制御部１は、ステップＳ２にて、受信したタイムスロットが自局宛てのタイムスロットであるか否かを判定する。自局宛てであるか否かとは、スロットの宛先ＩＤに自局のＩＤが設定されているか否かということである。受信したタイムスロットが自局宛てでなければ（NO）、制御部１は、ステップＳ３１にて、送信元ＩＤと自局以外の宛先ＩＤをＲＡＭ１ａに記憶させる（記憶ステップ）。そして、無線通信機１００（制御部１）は、ステップＳ３１からステップＳ１に戻して処理を繰り返す。
【００４９】
一方、ステップＳ２にて受信したタイムスロットが自局宛てと判定した場合（YES）、制御部１は、ステップＳ４にて、自局宛てのタイムスロットに含まれる音声データを再生するよう制御する。即ち、制御部１は、ＤＳＰ４を制御し、自局宛てスロットの音声データを復調及び復号させ、その音声をスピーカ６より出力させる。図６の例では、無線通信機１００Ｂはスロット１の音声データのみを出力すればよく、無線通信機１００Ｃはスロット２の音声データのみを出力すればよい。
【００５０】
制御部１は、ステップＳ５にて、送受信部２がタイムスロットデータの受信を終了することにより通話が終了したか否かを判定する。通話が終了していなければ（NO）、制御部１はステップＳ１に戻して処理を繰り返す。通話が終了していれば（YES）、制御部１は、ステップＳ６にて、タイマ１ｂによるコールバックタイマを起動して処理を終了させる。コールバックタイマは、ＰＴＴスイッチ１０が押されたときに、制御部１が、ユーザが受信した通話に対して返信するコールバックであるか、新規の通話であるかを判定するために起動される。
【００５１】
図１０Ｂを用いて第２のフレーム構成の場合の受信処理を説明する。図１０Ｂにおいて、図１０Ａと同一のステップには同一の符号を付し、その説明を省略することがある。無線通信機１００は、ステップＳ１にて、タイムスロットデータを受信する（受信ステップ）。制御部１は、ステップＳ２にて、受信したタイムスロットが自局宛てのタイムスロットであるか否かを判定する。受信したタイムスロットが自局宛てでなければ（NO）、無線通信機１００（制御部１）は、ステップＳ２からステップＳ１に戻して処理を繰り返す。
【００５２】
一方、ステップＳ２にて受信したタイムスロットが自局宛てと判定した場合（YES）、制御部１は、ステップＳ３２にて、送信元ＩＤと自局以外の宛先ＩＤをＲＡＭ１ａに記憶させる（記憶ステップ）。第２のフレーム構成の場合、自局宛てのタイムスロットの宛先２に自局以外の宛先ＩＤが含まれるため、自局宛てのタイムスロットのみで自局以外の宛先ＩＤを抽出することができる。以降のタイムスロットのヘッダを解析する必要はなく、また、以降のフレームは自局宛てのタイムスロットのみを処理してもよい。ステップＳ４〜Ｓ６は図１０Ａにおけるそれと同じである。
【００５３】
次に、図１１に示すフローチャートを用いて、無線通信機１００の送信処理を説明する。制御部１は、ステップＳ１１にて、ＰＴＴスイッチ１０が押されたか否かを判定する。ＰＴＴスイッチ１０が押されなければ（NO）、制御部１はステップＳ１１の処理を繰り返す。ＰＴＴスイッチ１０が押されれば（YES）、制御部１は、ステップＳ１２にて、コールバックであるか否かを判定する。制御部１は、図１０のステップＳ６にて起動したコールバックタイマが満了する前にＰＴＴスイッチ１０が押されればコールバックであると判定し、満了した後にＰＴＴスイッチ１０が押されればコールバックではないと判定する。
【００５４】
ステップＳ１２にてコールバックであれば（YES）、制御部１は、ステップＳ１３にて、ＲＡＭ１ａに記憶されている送信元ＩＤと自局以外の宛先ＩＤとを各スロットの宛先ＩＤに設定する（制御ステップ）。そして、制御部１は、ステップＳ１３にて、各スロットの送信元ＩＤに、自局のＩＤを設定する（制御ステップ）。続けて、制御部１は、ステップＳ１４にて、マイクロホン５で収音した音声の音声データを含むタイムスロットデータ（送信データ）を生成して送信するよう送受信部２を制御する（制御ステップ）。送受信部２は、送信データを送信する（送信ステップ）。
【００５５】
制御部１は、ステップＳ１５にて、ＰＴＴスイッチ１０が開放されたか否かを判定する。ＰＴＴスイッチ１０が開放されなければ（NO）、制御部１はステップＳ１４及びＳ１５の処理を繰り返し、ＰＴＴスイッチ１０が開放されれば（YES）、制御部１は処理を終了させる。
【００５６】
一方、ステップＳ１２にてコールバックでなければ（NO）、制御部１は、ステップＳ１６にて、警告音等で宛先ＩＤの設定がなされていない旨を警告報知し、ユーザにＰＴＴスイッチ１０の開放を促す。制御部１は、ステップＳ１７にて、ＰＴＴスイッチ１０が開放されたか否かを検出する。ステップＳ１７にてＰＴＴスイッチ１０の開放が検出された場合（YES）、制御部１は、ステップＳ１８にて、警告報知を解除し、無線通信機１００を受信待ち受け状態に設定する。ユーザが新たに音声信号を送信する場合には、上記のように、ユーザが宛先ＩＤを設定する。なお、コールバックがなされなかった場合の処理は、任意でよく、ディスプレイ９に新たに宛先を設定するよう促す表示を行ってもよい。
【００５７】
第２のフレーム構成を用いる場合、制御部１は、ステップＳ１３にて、ＲＡＭ１ａに記憶されているＩＤ（送信元ＩＤと自局以外の宛先ＩＤ）を各スロットの宛先１に設定する。そして、制御部１は、各スロットの送信元ＩＤに、自局のＩＤを設定する。これらの処理は、第１のフレーム構成を用いる場合と同様である。
【００５８】
第２のフレーム構成を用いる場合、制御部１は、これらの処理に加えて、それぞれのタイムスロットに同報送信を行う宛先２（その他の宛先）を設定する。制御部１は、ＲＡＭ１ａに記憶されたＩＤから宛先１に設定した以外のＩＤを宛先２に設定する。詳細には、制御部１は、送信元ＩＤをコールバックの際の宛先ＩＤとして設定したタイムスロットには、ＲＡＭ１ａに記憶された宛先ＩＤを全て設定する。制御部１は、ＲＡＭ１ａに記憶された宛先ＩＤのいずれかをコールバックの際の宛先ＩＤとして設定したタイムスロットは、宛先ＩＤとして設定した以外のＲＡＭ１ａに記憶された宛先ＩＤと送信元ＩＤとを設定する。
【００５９】
本発明は以上説明した本実施形態に限定されるものではなく、本発明の要旨を逸脱しない範囲において種々変更可能である。本実施形態では、タイムスロット内に音声データが含まれるものとしたが、音声データではなく、テキストデータが含まれていてもよい。
【符号の説明】
【００６０】
１  制御部
１ａ  ＲＡＭ（記憶部）
１ｂ  タイマ
２  送受信部（送信部，受信部）
１０  ＰＴＴスイッチ
１００，１００Ａ，１００Ｂ，１００Ｃ  無線通信機
２００Ａ，２００Ｂ  基地局
３００  ネットワーク
【図１】
2020120346.tif 000003
【図２】
2020120346.tif 000004
【図３】
2020120346.tif 000005
【図４】
2020120346.tif 000006
【図５】
2020120346.tif 000007
【図６】
2020120346.tif 000008
【図７】
2020120346.tif 000009
【図８】
2020120346.tif 000010
【図９】
2020120346.tif 000011
【図１０Ａ】
2020120346.tif 000012
【図１０Ｂ】
2020120346.tif 000013
【図１１】
2020120346.tif 000014